(57)【要約】      （修正有）【課題】台座に位置決めして載置でき、使い捨てタイプとして提供されている芳香成分担持体を交換して、異種の芳香を放つ芳香成分担持体を使用したとしても、交換後の芳香成分担持体が放つ芳香に異種の芳香が混ざり合って使用者が芳香に関して違和感をおぼえる、という不都合を生じない芳香成分担持体を提供する。【解決手段】芳香成分が含浸された平板状の担持体本体７１と、この担持体本体７１に重ね合わされてその裏面全体を覆う被覆シート７５と、からなる。担持体本体７１と被覆シート７５とに、台座８０に設けられた突軸部８３に対する嵌合孔７２，７６を設ける。【選択図】図５
0003212494.tif 000002
【実用新案登録請求の範囲】
【請求項１】
気流が接触することにより空気中に芳香成分を拡散させる機能を発揮する芳香成分担持体であって、
芳香成分が含浸された平板状の吸液性素材でなり、その吸液性素材に嵌合孔が設けられていて、その嵌合孔を台座に設けられた突軸部に嵌合することによって当該芳香成分担持体上記台座の座面に載置されるように構成されていることを特徴とする芳香成分担持体。
【請求項２】
気流が接触することにより空気中に芳香成分を拡散させる機能を発揮する芳香成分担持体であって、
芳香成分が含浸された平板状の吸液性素材でなる担持体本体と、この担持体本体に重ね合わされてその裏面全体を覆う被覆シートと、からなり、それらの担持体本体と被覆シートとに嵌合孔が設けられていて、その嵌合孔を台座に設けられた突軸部に嵌合することによって当該芳香成分担持体が上記台座の座面に載置されるように構成されていることを特徴とする芳香成分担持体。
【請求項３】
上記吸液性素材が紙の積層体でなり、上記被覆シートが、片面にアルミニウム蒸着膜が形成された樹脂シートでなる請求項２に記載した芳香成分担持体。
【考案の詳細な説明】
【技術分野】
【０００１】
本考案は、芳香成分担持体、特に、気流の作用で芳香成分を周囲に拡散させる機能を発揮する芳香成分担持体に関する。
【背景技術】
【０００２】
従来より、芳香成分を含浸させた芳香成分担持体は知られている（たとえば、特許文献１参照）。
【０００３】
従来例としての芳香成分担持体１００を図９に斜視図で示している。この芳香成分担持体１００は芳香成分が含浸された平板状の吸液性素材でなり、気流が接触することにより空気中に芳香成分を拡散させる機能を発揮する。図例の芳香成分担持体１００は吊下げ孔１０１を有していて、この吊下げ孔１０１を利用して室内や車内に吊り下げて使用される。
【０００４】
一方、本願出願人は、スピーカーユニット（不図示）の振動板の振動に伴って生じる粗密波、振動、脈動などを伴う気流を利用して芳香成分担持体から芳香を拡散させることにより室内に一定の芳香環境を創り出したり、スピーカーユニットによる音楽再生音を利用して一定の音響環境を創り出したりすると、人にとっての良好な入眠状態を誘導することができるということに着目した。その上で、スピーカーユニットの振動板の振動に伴って生じる粗密波、振動、脈動などを伴う気流を芳香成分担持体に作用させるために、芳香成分担持体を台座の上に載置しておく、という手段を着想した。
【先行技術文献】
【特許文献】
【０００５】
【特許文献１】特開平７−５１３５２号公報
【考案の概要】
【考案が解決しようとする課題】
【０００６】
本考案は、上記着想を実現することを意図してなされたものであり、台座の定位置に位置決めして載置させることのできる芳香成分担持体を提供することを目的とする。
【０００７】
また、本考案は、芳香成分担持体が載置された台座の座面に芳香成分を含む薬剤が付着しないようにし、使い捨てタイプとして提供した芳香成分担持体を交換して、異種の芳香を放つ芳香成分担持体を使用したとしても、交換後の芳香成分担持体が放つ芳香に異種の芳香が混ざり合って使用者が芳香に関して違和感をおぼえる、という不都合を生じないようにすることを目的としている。
【課題を解決するための手段】
【０００８】
本考案に係る芳香成分担持体は、気流が接触することにより空気中に芳香成分を拡散させる機能を発揮する芳香成分担持体であって、芳香成分が含浸された平板状の吸液性素材でなり、その吸液性素材に嵌合孔が設けられていて、その嵌合孔を台座に設けられた突軸部に嵌合することによって当該芳香成分担持体上記台座の座面に載置されるように構成されている。このように構成された芳香成分担持体によれば、その嵌合孔を台座の突軸部に嵌合するだけで、台座の座面に載置された芳香成分担持体が位置決めされる。そのため、スピーカーユニットの振動板の振動に伴って生じる粗密波、振動、脈動などを伴う気流を芳香成分担持体に確実に作用させることが容易になる。
【０００９】
また、本考案に係る芳香成分担持体は、気流が接触することにより空気中に芳香成分を拡散させる機能を発揮する芳香成分担持体であって、芳香成分が含浸された平板状の吸液性素材でなる担持体本体と、この担持体本体に重ね合わされてその裏面全体を覆う被覆シートと、からなり、それらの担持体本体と被覆シートとに嵌合孔が設けられていて、その嵌合孔を台座に設けられた突軸部に嵌合することによって当該芳香成分担持体が上記台座の座面に載置されるように構成されている。このように構成された芳香成分担持体によれば、台座の座面に載置された芳香成分担持体が位置決めされる。そのため、スピーカーユニットの振動板の振動に伴って生じる粗密波、振動、脈動などを伴う気流を芳香成分担持体に確実に作用させることが容易になる。また、台座の座面に当該芳香成分担持体を載置した状態では、芳香成分が含浸されている担持体本体と座面との間に、担持体本体の裏面全体を覆っている被覆シートが介在された状態になる。そのため、被覆シートの遮断作用によって、座面に芳香成分を含む薬剤が付着するという事態が起こらなくなる。したがって、芳香成分担持体が使い捨てタイプとして提供されている場合に、交換後の芳香成分担持体が放つ芳香に異種の芳香が混ざり合って使用者が芳香に関して違和感をおぼえる、という不都合を生じることがなくなる。
【００１０】
本考案では、上記吸液性素材が紙の積層体でなり、上記被覆シートが、片面にアルミニウム蒸着膜が形成された樹脂シートでなる、という構成を採用することが可能である。これによれば、吸液性素材を安価に提供することが可能になるので、芳香成分担持体を使い捨てタイプとして提供しやすくなる。また、樹脂シートのアルミニウム蒸着膜形成面を担持体本体の裏面に重ね合わせることによって、担持体本体の裏面に存在する芳香成分を含む薬剤をアルミニウム蒸着膜が遮蔽するという作用が発揮されるため、その薬剤が樹脂シートに付着してその樹脂シートを劣化させるという事態が起こらなくなる。
【考案の効果】
【００１１】
以上のように、本考案に係る芳香成分拡散装置によれば、台座の座面に載置した芳香成分担持体が確実かつ容易に位置決めすることが可能になって、気流を芳香成分担持体に確実に作用させることが容易になる。特に、請求項２及び請求項３に記載の構成を有する芳香成分拡散装置によれば、使い捨てタイプとして提供されている芳香成分担持体を交換して異種の芳香を放つ芳香成分担持体を使用したとしても、交換後の芳香成分担持体が放つ芳香に異種の芳香が混ざり合って使用者が芳香に関して違和感をおぼえる、という不都合を生じることのない芳香成分担持体を提供することが可能になる。
【図面の簡単な説明】
【００１２】
【図１】本考案の実施形態に係る芳香成分担持体の斜視図である。
【図２】図１の芳香成分担持体とその芳香成分担持体が適用される芳香成分拡散装置を示した部分斜視図である。
【図３】図１の芳香成分担持体が適用された芳香成分拡散装置の要部の拡大断面図である。
【図４】本考案の他の実施形態に係る芳香成分担持体の分解斜視図である。
【図５】図４の芳香成分担持体とその芳香成分担持体が適用される芳香成分拡散装置を示した部分斜視図である。
【図６】図４の芳香成分担持体が適用された芳香成分拡散装置の要部の拡大断面図である。
【図７】図６の芳香成分拡散装置の使用状態での要部の拡大図である。
【図８】図４の芳香成分担持体が適用された図２の芳香成分拡散装置の使用状態での要部の拡大図である。
【図９】従来例としての芳香成分担持体の斜視図である。
【考案を実施するための形態】
【００１３】
図１は本考案の実施形態に係る芳香成分担持体４０の斜視図である。また、図２は図１の芳香成分担持体４０とその芳香成分担持体４０が適用される芳香成分拡散装置を示した部分斜視図、図３は図１の芳香成分担持体が適用された芳香成分拡散装置の要部の拡大断面図である。
【００１４】
図１又は図２のように、芳香成分担持体４０は、芳香成分が含浸された円形平板状の吸液性素材でなり、その吸液性素材に嵌合孔４１が設けられていて、通常は使い捨てタイプとして提供される。吸液性素材は、和紙などの吸液性に優れた紙の積層体に芳香成分を含浸させることによって製作されている。
【００１５】
図２に示した芳香成分拡散装置は、円筒状の筒形筐体１０の上部に円板形の仕切り板２０が設けられている。図２又は図３に示したように、この仕切り板２０は、その外周部に、円環状に配列された多数の円形の通風口２１を有しているのに対して、通風口が形成されていない中央部は盲板状に形成されている。また、仕切り板２０の中央部に円柱状の小突起でなる上向きの突軸部２２を一体に有している。そして、嵌合孔３１を有する円板状のスペーサーとしての台座３０の上記嵌合孔３１が突軸部２２に嵌め込まれていることによって、その台座３０が仕切り板２０の中央部に重ね合わされている。台座３０は、後述する芳香成分担持体４０に含浸されている芳香成分を含む薬剤が付着しても容易に腐食や劣化を来しにくい材料、たとえばアルミニウム合金などの金属や高耐食性樹脂などで作られている。
【００１６】
芳香成分担持体４０は、その嵌合孔４１を台座３０の嵌合孔３１から突出している上記突軸部２２に嵌合させることによって、その台座３０の上面によって形成されている座面３２に載置される。しかも、台座３０に載置された芳香成分担持体４０は、突軸部２２と嵌合孔４１との嵌合構造によって正確に位置決めされている。こうして、台座３０の上に芳香成分担持体４０を装着した状態では、同図のように、芳香成分担持体４０の外周部が、台座３０の外側へ張り出して仕切り板２０の通風口２１に間隔を隔てて対面している。
【００１７】
図示例の芳香成分拡散装置では、筒形筐体１０の内部にダイナミック型のスピーカーユニット（不図示）が上向きに組み付けられていて、このスピーカーユニットの振動板の振動に伴って生じる粗密波、振動、脈動などを伴う気流が、仕切り板２０の通風口２１を通過するようになっている。図６において、６０は、筒形筐体１０のホルダー部１２に装着されたバッテリーであり、このバッテリー６０の電力がスピーカーユニットの駆動電力として利用される。
【００１８】
この芳香成分拡散装置において、スピーカーユニットの振動板が振動することによって生じた気流は、仕切り板２０の通風口２１を通過して芳香成分担持体４０の外周部に接触し、その周囲に拡散する。この作用により、芳香成分担持体４０に含浸されている芳香成分もその気流を受けて周囲に拡散し、一定の芳香環境を創り出す。また、通風口２１は、スピーカーユニットによる再生音を外部に放出する音口としても作用する。
【００１９】
図４は本考案の他の実施形態に係る芳香成分担持体７０の分解斜視図である。図５は図４の芳香成分担持体７０とその芳香成分担持体７０が適用される芳香成分拡散装置を示した部分斜視図、図６は図４の芳香成分担持体７０が適用された芳香成分拡散装置の要部の拡大断面図である。
【００２０】
図４のように、この実施形態に係る芳香成分担持体７０は、芳香成分が含浸された平板状の吸液性素材でなる担持体本体７１と、この担持体本体７１に重ね合わされてその裏面全体を覆う被覆シート７５と、からなり、両者は共に平面視円形に形成されている。担持体本体７１及び被覆シート７５にはそれぞれ嵌合孔７２，７６が設けられている。担持体本体７１は、和紙などの吸液性に優れた紙の積層体に芳香成分を含浸させることによって製作されている。被覆シート７５は、樹脂シートのみによって形成しておいてもよいが、実施形態では、片面にアルミニウム蒸着膜が形成された肉薄で柔軟性を有する樹脂シートが採用されている。被覆シート７５を樹脂シートによって形成しておくと、樹脂シートの特性によって、芳香成分を含む薬剤を遮蔽する作用（遮蔽作用）が発揮される。また、被覆シート７５として、片面にアルミニウム蒸着膜が形成された樹脂シートを採用しておくと、アルミニウム蒸着膜の形成面を担持体本体７１の裏面に重ね合わせることによって、担持体本体７１の裏面に存在する芳香成分を含む薬剤をアルミニウム蒸着膜が遮蔽するので、その薬剤が樹脂シートに付着してその樹脂シートを劣化させるという事態が起こらない。この芳香成分担持体７０は、通常は使い捨てタイプとして提供される。
【００２１】
上記した芳香成分担持体７０は、図５又は図６に示した芳香成分拡散装置に適用することが可能である。この芳香成分拡散装置は、その基本構成が、図２を参照して説明したものと同様であるけれども、台座８０の構成が図２で説明した台座３０とは相違している。
【００２２】
図５又は図６に示した芳香成分拡散装置の台座８０は、円板状の座板部８１と、座板部８１の中央部から突出した平面視円形の偏平な板状部８２と、この板状部８２の中央部に設けられた円柱状の突軸部８３とを有していて、板状部８２の上面が、上記した芳香成分担持体７０が載置される座面８４として形成されている。また、台座８０は、芳香成分担持体４０に含浸されている芳香成分を含む薬剤が付着しても容易に腐食や劣化を来しにくい材料、たとえばアルミニウム合金などの金属や高耐食性樹脂などで作られている。
【００２３】
図６のように、この芳香成分拡散装置では、筒形筐体１０の上部にダイナミック型のスピーカーユニット５０が上向きに組み付けられていて、このスピーカーユニット５０の振動板５１の振動に伴って生じる粗密波、振動、脈動などを伴う気流が、仕切り板２０の通風口２１を通過するように構成されている。なお、図５において、６０は、筒形筐体１０のホルダー部１２に装着されたバッテリーであり、このバッテリー６０の電力がスピーカーユニット５０の駆動電力として利用される。
【００２４】
図７は図６の芳香成分拡散装置の使用状態での要部の拡大図である。図５又は図６のように、芳香成分担持体７０は、担持体本体７１及び被覆シート７５のそれぞれの嵌合孔７２，７６を、台座８０の突軸部８３に着脱自在に嵌合させることによって、その台座８０の板状部８２の上面によって形成されている座面８４に接触した状態で重ね合わされる。こうして、台座８０に芳香成分担持体７０を装着すると、図７のように、芳香成分担持体７０の外周部が、台座８０の座板部８１の外側へ張り出して仕切り板２０の通風口２１に間隔を隔てて対面する。また、担持体本体７１と座面８４との間に被覆シート７５が介在されることにより、担持体本体７１が座面８４に直接に接触することが阻止されている。また、被覆シート７５のアルミニウム蒸着膜形成面を担持体本体７１の裏面に重ね合わせておくと、担持体本体７１の裏面に存在する芳香成分を含む薬剤をアルミニウム蒸着膜が遮蔽するので、その薬剤が樹脂シートに付着してその樹脂シートを劣化させるという事態が起こらない。
【００２５】
上記のように台座８０に芳香成分担持体７０を装着した状態で、スピーカーユニット５０を駆動すると、その振動板５１が振動することによって生じた気流は、仕切り板２０の通風口２１を通過して担持体本体７１の外周部に接触し、その周囲に拡散する。この作用により、担持体本体７１に含浸されている芳香成分もその気流を受けて周囲に拡散し、一定の芳香環境が創り出される。また、上記通風口２１は、スピーカーユニット５０による再生音を外部に放出する音口としても作用する。
【００２６】
また、図７に示したように、台座８０の座板部８１と芳香成分担持体７０との間には隙間Ｓが存在していて、座板部８１の上面に芳香成分担持体７０が接触していないので、座板部８１の上面に担持体本体７１の裏面に存在する芳香成分が付着することはない。特に、この実施形態では、担持体本体７１の裏面全体に被覆シート７５が重なり合っているので、この被覆シート７５による遮蔽作用によって、座板部８１の上面に芳香成分が付着することが確実に防止される。また、担持体本体７１と座面８４との間に介在された被覆シート７５によって、担持体本体７１が座面８４に直接に接触することが阻止されているために、その座面８４に、担持体本体７１のに裏面に存在する芳香成分が付着することもない。したがって、使い捨てタイプとして提供されている芳香成分担持体７０を交換し、異種の芳香を放つ芳香成分担持体７０を台座８０に装着して使用したとしても、交換後の芳香成分担持体７０が放つ芳香に、その前に座板部８１の上面や座面８４に付着していた芳香が混ざり合って周囲に拡散されるという事態を生じる余地がない。その結果、使用者が芳香に関して違和感をおぼえる、という不都合を生じることがない。
【００２７】
なお、被覆シート７５は、それ自体が比較的柔軟な特性を有しているため、図４に仮想線で示したように外周部が周囲に垂れ下がるという状況が起こり得るけれども、そのような状況下でも、上記したような被覆シート７５による遮蔽作用や、被覆シート７５によって担持体本体７１が座面８４に接触することが防止されるという作用が損なわれることはない。
【００２８】
図４に示した芳香成分担持体７０は、図２に示した芳香成分拡散装置にも適用することが可能である。図８はその適用事例を示した要部の拡大図である。
【００２９】
冒頭で説明したように、この芳香成分拡散装置では、円筒状の筒形筐体１０の上部に円板形の仕切り板２０が設けられている。仕切り板２０は、その外周部に、円環状に配列された多数の円形の通風口２１を有しているのに対して、通風口が形成されていない中央部は盲板状に形成されている。また、仕切り板２０の中央部に円柱状の小突起でなる上向きの突軸部２２を有している。そして、嵌合孔３１を有する円板状のスペーサーとしての台座３０の上記嵌合孔３１が突軸部２２に嵌め込まれていることによって、その台座３０が仕切り板２０の中央部に重ね合わされている。台座３０は、芳香成分担持体７０に含浸されている芳香成分を含む薬剤が付着しても容易に腐食や劣化を来しにくい材料、たとえばアルミニウム合金などの金属や高耐食性樹脂などで作られている。
【００３０】
そして、芳香成分担持体７０は、担持体本体７１及び被覆シート７５の各嵌合孔７２，７６を台座３０の嵌合孔３１から突出している上記突軸部２２に嵌合させることによって、その台座３０の上面によって形成されている座面３２に載置され、位置決めされて重ね合わされる。こうして、台座３０の上に芳香成分担持体７０を装着した状態では、同図のように、芳香成分担持体７０の外周部が、台座３０の外側へ張り出して仕切り板２０の通風口２１に間隔を隔てて対面する。
【００３１】
この芳香成分拡散装置において、スピーカーユニットの振動板（不図示）が振動することによって生じた気流は、仕切り板２０の通風口２１を通過して芳香成分担持体７０の外周部に接触し、その周囲に拡散する。この作用により、担持体本体７１に含浸されている芳香成分もその気流を受けて周囲に拡散し、一定の芳香環境が創り出される。また、通風口２１は、スピーカーユニットによる再生音を外部に放出する音口としても作用する。
【００３２】
また、台座３０の座面３２と担持体本体７１との間には被覆シート７５が介在されていて、座面３２に担持体本体７１が接触していないので、座面３２に担持体本体７１の裏面に存在する芳香成分が付着することはない。したがって、使い捨てタイプとして提供されている芳香成分担持体７０を交換し、異種の芳香を放つ芳香成分担持体７０を台座３０に装着して使用したとしても、交換後の芳香成分担持体７０が放つ芳香に、その前に座板部座面３２に付着していた芳香が混ざり合って周囲に拡散されるという事態を生じる余地がない。その結果、使用者が芳香に関して違和感をおぼえる、という不都合を生じることがない。
【符号の説明】
【００３３】
３０，８０  台座
３２，８４  座面
４０，７０  芳香成分担持体
７１  担持体本体
４１，７２，７６  嵌合孔
７５  被覆シート
【図１】
0003212494.tif 000003
【図２】
0003212494.tif 000004
【図３】
0003212494.tif 000005
【図４】
0003212494.tif 000006
【図５】
0003212494.tif 000007
【図６】
0003212494.tif 000008
【図７】
0003212494.tif 000009
【図８】
0003212494.tif 000010
【図９】
0003212494.tif 000011